(57)【要約】【課題】  低背化を図りつつ、ＵＷＢのＬＯＷ−ＢＡＮＤ規格の周波数帯域を満足する広帯域チップアンテナを提供する。【解決手段】  アンテナ２は、平板のグランド３が載置された基板１上に、グランド３の近傍に設けられた、平板の電極４から成る広帯域チップアンテナであって、電極４の一端Ｍが、一端Ｍの中心部Ｐから側部Ｎに近づくにつれて電極４とグランド３との距離が大きくなっている広帯域チップアンテナにおいて、一端Ｍが一端Ｍと対向して位置する電極４の他端Ｌよりも基板１へ近づくように、電極４が、基板１に対して斜めに設けられている。【選択図】  図１
2007027893.tif 000002
【特許請求の範囲】
【請求項１】
平板の接地電極が載置された基板上に、上記接地電極の近傍に設けられた、平板の導体から成る広帯域チップアンテナであって、上記導体の一端が該一端の中心部から側部に近づくにつれて、該導体と上記接地電極との距離が大きくなっている広帯域チップアンテナにおいて、
上記導体の一端が該一端と対向して位置する上記導体の他端よりも基板へ近づくように、上記導体が、上記基板に対して斜めに設けられていることを特徴とする広帯域チップアンテナ。
【請求項２】
上記導体の表面には高誘電樹脂が配されていることを特徴とする請求項１に記載の広帯域チップアンテナ。
【請求項３】
上記導体は上記高誘電樹脂にて覆われていることを特徴とする請求項２に記載の広帯域チップアンテナ。
【請求項４】
上記導体と高誘電樹脂とがインサート成形にて互いに一体成形されていることを特徴とする請求項２または３に記載の広帯域チップアンテナ。
【発明の詳細な説明】
【技術分野】
【０００１】
本発明は、ＶＳＷＲが広帯域の特性を示す広帯域チップアンテナに関するものである。
【背景技術】
【０００２】
従来、携帯電話やＰＣ（personal computer）間での無線通信のために、無線通信用のＰＣカードが用いられている。このＰＣカードには、携帯電話などと無線通信を行なうためのアンテナが内蔵されている。
【０００３】
このアンテナは、アンテナの構造を工夫することによって、ＶＳＷＲ（Voltage Standing Wave Ratio）特性の広帯域化を図る必要がある。ここで「ＶＳＷＲ特性の広帯域化を図る」とは、なるべく広い範囲の周波数帯域において、ＶＳＷＲが所定しきい値（２〜３）以下になるようにすることをいう。
【０００４】
従来のアンテナは、図１１に示すように、円形の放射導体（放射電極）５０と、この放射導体５０に直交（もしくは垂直）して設けられたある有限の大きさのグランド５１と、からなっている。このアンテナは、放射導体５０の側部にいくほど、放射導体５０とグランド５１との距離が大きくなっており、ＵＷＢ（Ultra Wide Band；超広帯域無線）のＬＯＷ−ＢＡＮＤ規格周波数である、３．１ＧＨｚ〜４．９ＧＨｚの周波数帯域を満足させることが可能となっている。
【０００５】
ここで、「ＵＷＢのＬＯＷ−ＢＡＮＤ規格周波数である、３．１ＧＨｚ〜４．９ＧＨｚの周波数帯域を満足させる」とは、周波数が３．１ＧＨｚ〜４．９ＧＨｚの帯域において、ＶＳＷＲが所定のしきい値（２〜３）を超えないことをいう。
【０００６】
しかしながら、図１１に示すアンテナは、背（高さ）が少なくとも放射導体５０の直径分あるため、各種モバイルに搭載するのが困難であった。
【０００７】
周波数が３．１ＧＨｚ（ＵＷＢのＬＯＷ−ＢＡＮＤ規格周波数の下限周波数）となるときのＶＳＷＲ値は、放射導体５０とグランド５１との距離が最も離れている部分（放射導体５０の側部）における放射導体５０とグランド５１との距離Ｔ（図１１参照）によって決まる。具体的には、この放射導体５０とグランド５１との距離が最も離れている部分における放射導体５０とグランド５１との距離Ｔが大きければ大きいほど、周波数３．１ＧＨｚにおけるＶＳＷＲの値が下がり、ＶＳＷＲ特性が良くなる。
【０００８】
このように放射導体５０とグランド５１との距離Ｔを放射導体５０の側部で大きくとる必要があるため、単に、放射導体５０の背を低くしたのでは、放射導体５０とグランド５１との距離Ｔが小さくなってしまい、周波数３．１ＧＨｚにおけるＶＳＷＲの値が所定のしきい値を超えてしまう。このような理由により、円形のアンテナを小さくして低背化を図ることが困難であった。
【０００９】
これに対して、低背化を図ったチップアンテナとして、例えば特許文献１に開示されたものがある。このチップアンテナは、図１２に示すように、導体地板６０と、導体地板６０上に配置された立体部材６１と、この立体部材６１の互いに隣接する２面（導体地板６０に平行な面と導体地板６０に直交する面）に形成された放射導体６２とを有している。なお、放射導体６２は、円形の放射導体６２を半分に折り曲げて、半円の放射導体６２が立体部材６１の隣接する２面のそれぞれに形成されるようになっている。このチップアンテナは、放射導体６２が折り曲げられているため、放射導体６２の大きさをそのまま維持して、低背化を図ることが可能となっている。
【特許文献１】特開２００４−７４６０号公報（平成１６年１月８日  公開）
【発明の開示】
【発明が解決しようとする課題】
【００１０】
、高さを半分にすることができ、低背化が図られている。しかしながら、ＵＷＢのＬＯＷ−ＢＡＮＤ規格周波数の帯域を満足していないことを本発明者は見出した。この理由について実験データを用いて説明する。
【００１１】
図１３は、図１２に示すチップアンテナのＶＳＷＲ−周波数（ＧＨｚ）の関係を表すグラフである。ＶＳＷＲのしきい値を３とすると、このグラフに示すように、ＶＳＷＲのしきい値が３となる周波数の下限が４．２ＧＨｚ程度となり、３．１ＧＨｚよりも大きくなる。このため、ＵＷＢのＬＯＷ−ＢＡＮＤ規格である、３．１ＧＨｚ〜４．９ＧＨｚの帯域を満足しない。すなわち、３．１ＧＨｚ〜４．２ＧＨｚにおいてＶＳＷＲが３を超えてしまう帯域が存在し、この帯域においてＵＷＢのＬＯＷ−ＢＡＮＤ規格周波数を満足しない。それゆえ、特許文献１に記載のチップアンテナは、ＵＷＢのＬＯＷ−ＢＡＮＤ規格では用いることができない。
【００１２】
本発明は、上記の問題点に鑑みてなされたものであり、その目的は、低背化を図りつつ、ＵＷＢのＬＯＷ−ＢＡＮＤ規格の周波数帯域を満足する広帯域チップアンテナを提供することにある。
【課題を解決するための手段】
【００１３】
本発明の広帯域チップアンテナは、平板の接地電極が載置された基板上に、上記接地電極の近傍に設けられた、平板の導体から成る広帯域チップアンテナであって、上記導体の一端が、該一端の中心部から側部に近づくにつれて該導体と上記接地電極との距離が大きくなっている広帯域チップアンテナにおいて、上記一端が該一端と対向して位置する上記導体の他端よりも基板へ近づくように、上記導体が、上記基板に対して斜めに設けられていることを特徴としている。
【００１４】
上記構成によれば、導体が基板に対して斜めに設けられている。ここで、「斜め」とは、平行でも垂直でもないことをいう。
【００１５】
また、導体の一端が、該一端の中心部から側部に近づくにつれて導体と接地電極との距離が大きくなっているため、ＶＳＷＲ特性の広帯域化を図ることができる。
【００１６】
また、導体が基板に対して斜めに配されている。このため、導体を基板に対して垂直に設けるよりも広帯域チップアンテナの低背化を図ることができる。
【００１７】
さらに、導体の一端が一端と対向して位置する導体の他端よりも基板へ近づくように、導体が、基板に対して斜めに設けられている。これによって、本発明者は、ＶＳＷＲの所定のしきい値における周波数を、ＵＷＢのＬＯＷ−ＢＡＮＤ規格周波数の下限周波数（３．１ＧＨｚ）よりも小さくすることができる、ということを鋭意検討の結果見出した。
【００１８】
従って、少なくともＵＷＢのＬＯＷ−ＢＡＮＤ規格周波数の帯域３．１ＧＨｚ〜４．９ＧＨｚにおけるＶＳＷＲの値を３以下にすることができる。それゆえ、低背化を図りつつ、ＵＷＢのＬＯＷ−ＢＡＮＤ規格の周波数帯域を満足したチップアンテナを提供することができる。
【００１９】
また、本発明の広帯域チップアンテナでは、上記導体の表面には高誘電樹脂が配されていることが好ましい。
【００２０】
上記構成によれば、導体の表面に高誘電樹脂が配されている。従って、この高誘電樹脂は、波長短縮効果と呼ばれる、仮想的にアンテナの大きさが実際の大きさよりも大きいアンテナと同等の機能を有するような効果を奏する。そのため、アンテナのサイズを大きくすることなく、広帯域のＶＳＷＲ特性を得ることができる。
【００２１】
また、本発明の広帯域チップアンテナでは、上記導体は上記高誘電樹脂にて覆われていることが好ましい。
【００２２】
上記構成によれば、導体が高誘電樹脂にて覆われているので、導体の一部のみまたは導体の片面のみに高誘電樹脂を設けるよりもさらに広帯域のＶＳＷＲ特性を得ることができる。
【００２３】
また、本発明の広帯域チップアンテナでは、上記導体と高誘電樹脂とがインサート成形にて互いに一体成形されていることが好ましい。
【００２４】
上記構成によれば、上記導体と上記高誘電樹脂とはインサート成形にて互いに一体成形されている。そのため、容易に広帯域チップアンテナを製造することができるため、広帯域チップアンテナの量産性を高めることができる。
【発明の効果】
【００２５】
本発明の広帯域チップアンテナは、平板の接地電極が載置された基板上に、上記接地電極の近傍に設けられた、平板の導体から成る広帯域チップアンテナであって、上記導体の一端が、該一端の中心部から側部に近づくにつれて該導体と上記接地電極との距離が大きくなっている広帯域チップアンテナにおいて、上記一端が該一端と対向して位置する上記導体の他端よりも基板へ近づくように、上記導体が、上記基板に対して斜めに設けられている。
【００２６】
従って、低背化を図りつつ、ＵＷＢのＬＯＷ−ＢＡＮＤ規格の周波数帯域を満足する広帯域チップアンテナを提供することができる、という効果を奏する。
【発明を実施するための最良の形態】
【００２７】
本発明の一実施形態について図面を用いて説明する。
【００２８】
本実施の形態のＰＣ（personal computer）カードは、パソコンに装着して、パソコン同士の無線通信やパソコンと携帯端末との無線通信を行なうことができるカードである。このＰＣカードは、図２に示すように、平板状の本体部１０からなっている。この本体部１０は、パソコンへの差込口としてのインターフェース部１１と、アンテナを収納する突起状のアンテナ収納部１２とを有している。このＰＣカードには、アンテナを搭載したアンテナ搭載基板が内蔵されている。このアンテナ搭載基板に搭載されたアンテナは、広帯域のＶＳＷＲ（Voltage Standing Wave Ratio）特性を有するチップ型のアンテナ（広帯域チップアンテナ）である。
【００２９】
この広帯域チップアンテナを搭載した、アンテナ搭載基板は、図３に示すように、基台としての基板１と、この基板１に設けられた直方体（サイズ；５×５×１０（ｍｍ））のアンテナ（広帯域チップアンテナ）２および同じく基板１に設けられた平板のグランド（接地電極）３と、を有している。また、アンテナ２は、グランド３の近傍に設けられている。また、図３では、説明の便宜上、アンテナ２の内部が透過的に示されている。なお、アンテナ２は、アンテナ２の６つの５×１０（ｍｍ）の面のうち、１面が基板１と接するように基板１に配されている。
【００３０】
さらに、アンテナ２は、図３に示すように、平板の電極（導体）４と、この電極４を挟持して電極４を覆うように設けられた誘電体（高誘電樹脂）５とから成っている。つまり、アンテナ２の外形（直方体）は、誘電体５にて形成されている。また、アンテナ２は、グランド３の近傍に設けられているので、アンテナ２に設けられた電極４もアンテナ２の近傍に設けられている。
【００３１】
図４は、図３に示す矢印方向から見た電極４の平面図である。電極４は、同図に示すように、略半円形状の半円部６と、この半円部６の弦（直線部）に接続され、この弦と同じ長さの辺を長辺として持つ矩形部７と、が合わさってなっている。なお、半円部６の半径は約５（ｍｍ）である一方、矩形部７の短辺の長さは約２．０５（ｍｍ）である一方、矩形部７の長辺の長さは約１０（ｍｍ）である。但し、この半円部６の半径、矩形部７の短辺、および矩形部７の長辺の長さは、単なる一例にすぎず、これらの値に限定されるわけではない。
【００３２】
また、電極４の形状は、上記のように、半円部６と矩形部７とを有する形状に限られず、ＶＳＷＲ特性が広帯域を示す形状であれば何でもよい。ここで「ＶＳＷＲ特性が広帯域を示す形状」とは、電極４の側部に近づくにつれて、電極４とグランド３との距離が徐々に離れていく形状をいう。従って、電極４の形状は、例えば、三角形状や、三角形と矩形とを組み合わせた形状でもよい。また、電極４の形状は、図５に示すように、矩形部７を持たず、半円部６を構成する円のみによって形成された形状でもよい。
【００３３】
誘電体５は、波長短縮効果と呼ばれる、仮想的にアンテナ２が実際の大きさよりも大きいアンテナと同等の機能を有するような効果を有している。なお、アンテナ２を大きくすれば、広帯域のＶＳＷＲ特性を得ることができるが、単にアンテナ２を大きくするだけでは、低背化が図れず、各種モバイルへの搭載が難しくなる。
【００３４】
また、誘電体５は、例えば樹脂からなることが好ましい。この樹脂としては、例えばポリフェニレンサルファイド（ＰＰＳ）、液晶ポリマー（ＬＣＰ）、シンジオタクチックポリスチレン（ＳＰＳ）、ポリカーボネート（ＰＣ）、ポリエチレンテレフタレート（ＰＥＴ）、エポキシ樹脂（ＥＰ）、ポリエーテルイミド樹脂（ＰＥＩ）、フェノール樹脂（ＰＦ）などを用いることができる。また、誘電体基板３としては、高誘電率樹脂または高誘電率セラミックを用いてもよい。
【００３５】
また、上記のＰＰＳやＬＣＰは、耐熱性、寸法安定性、および成形加工特性に優れている。なお、ＬＣＰは耐熱性がＰＰＳよりも高く誘電率が６〜７であり、ＰＰＳは、耐熱性はＬＣＰよりも低く誘電率が８〜１２である。
【００３６】
次に、本発明の最重要部分である、電極４の基板１およびグランド３に対する配置について図面を用いて説明する。図１は、図３におけるアンテナ２の周辺を拡大して示す斜視図である。なお、図１では、図３と同様に、アンテナ２の内部を透過的に示している。
【００３７】
電極４は、同図に示すように、基板１に対して４５度の角度をもって配されている。より具体的には、電極４は、半円部６の円弧の中心部Ｐが基板１と接する（電極４の一端が基板１と接する）と共に、基板１に対して４５度の角度を持ってグランド３から離れる方向へ延伸している（電極４の他端Ｌがグランド３から離れる方向へ延伸している）。なお、ここでは、電極４は基板１に対して４５度の角度をもっているとしたが、電極４とグランド３とが成す角度も４５度である。
【００３８】
すなわち、本実施の形態のアンテナ（広帯域チップアンテナ）２は、平板のグランド（接地電極）３が載置された基板１上に、グランド３の近傍に設けられた、平板の電極（導体）４から成るアンテナ２であって、電極４の一端Ｍが、この一端Ｍの中心部Ｐから側部Ｎに近づくにつれて電極４とグランド３との距離が大きくなっているアンテナ２において、一端Ｍがこの一端Ｍと対向して位置する電極４の長辺（他端）Ｌよりも基板１へ近づくように、電極４が、基板１に対して斜めに設けられている。
【００３９】
換言すれば、電極４は、半円部６の円弧の中心部Ｐを有する一端Ｍと対向する矩形部７の長辺Ｌ（図４参照；端部）が、誘電体５におけるグランド３と最も離れた長辺に重なって位置していると共に、半円部６の円弧の中心部Ｐが、誘電体５におけるグランド３と近接する長辺上に位置している。つまり、電極４は、誘電体５における互いに対角して位置する長辺に電極４の両端がそれぞれ位置するように配されている。
【００４０】
従来、円形の電極を半分に折り曲げて、半円ずつを直方体の誘電体の隣り合う２面に貼りつけたものがあった。これにより、広帯域なＶＳＷＲ特性を維持したまま、アンテナの低背化を図っていた。しかしながら、このようなアンテナは、上記したように、ＶＳＷＲ特性はある程度の広帯域を示すが、ＶＳＷＲのしきい値を３にすると、ＶＳＷＲの下限周波数は４．２ＧＨｚとなり、ＵＷＢのＬＯＷ−ＢＡＮＤ規格である、３．１ＧＨｚ〜４．９ＧＨｚの帯域を満足しない。つまり、従来のアンテナでは、周波数が３．１ＧＨｚの場合は、しきい値（３）を超えてしまい、アンテナの反射が多くなり、効率良く電波を飛ばせず、ＵＷＢのＬＯＷ−ＢＡＮＤ規格に用いることができない。
【００４１】
これに対して、上記のように、電極４を、基板１に対して４５度の角度で配置させることより、低背化を図ることができると共に、ＶＳＷＲのしきい値を３とすると、ＶＳＷＲの下限周波数が３．０ＧＨｚとなり、ＵＷＢのＬＯＷ−ＢＡＮＤ規格周波数である、３．１ＧＨｚ〜４．９ＧＨｚの帯域を満足させることができる。この点については、後に実験データを用いて説明する。
【００４２】
さらに、電極４を誘電体５にて覆うことが好ましい。電極４を誘電体５にて覆うことにより、上記した波長短縮効果によって、アンテナ２の小型化を図ることができる。そのため、結果としてアンテナ２のＶＳＷＲ特性の広帯域化を図ることができる。しかしながら、誘電体５は、必須の構成要素ではなく、設けなくてもよい。また、電極４の両面のみに誘電体５を設けてもよく、いずれか一方の面のみに誘電体５を設けてもよい。このように、誘電体５を電極４の両面、または、電極４の一方の面のみに設けた場合でも、波長短縮効果を奏する。
【００４３】
図６は、本実施の形態のアンテナ２のＶＳＷＲ特性を示すグラフである。なお、このグラフでは、縦軸はＶＳＷＲを示している一方、横軸は周波数（ＧＨｚ）を示している。同図から、しきい値を３にしたときに、ＵＷＢのＬＯＷ−ＢＡＮＤ規格周波数である、３．１ＧＨｚ〜４．９ＧＨｚの帯域を満足していることが分かる。つまり、周波数３．１ＧＨｚ〜４．９ＧＨｚにおいて、ＶＳＷＲが３以下になっている。特に、しきい値を３にしたときのＶＳＷＲの下限周波数が約３．０ＧＨｚであり、３．１ＧＨｚ以下となっている。さらに、ＦＵＬＬ−ＢＡＮＤ規格周波数である、３．１ＧＨｚ〜１０．６ＧＨｚにおいても、ＶＳＷＲのしきい値を３以下にすることができる。
【００４４】
次に、アンテナ２の製造方法について図７（ａ）〜（ｃ）を用いて説明する。アンテナ２は、インサート成形によって、製造することが好ましい。ここで、インサート成形とは、金型を用いて、この金型内に、材料を注入して、一体成形する方法である。但し、アンテナ２を製造する方法は、インサート成形に限らず、例えば押出成形・射出成形などであってもよい。
【００４５】
このインサート成形によるアンテナ２の製造は、チップの形状（アンテナ２の形状）をなした金型を用いて、電極４と誘電体５とを一体成形することにより行なう。
【００４６】
まず、図７（ａ）に示すように、電極４を金型８の正確な位置に設置する。金型８に電極４を位置決めした後、図７（ｂ）に示すように、もう一つの金型８を用いて、２つの金型８にて電極４を両側から挟む。そして、これらの金型８の一方および／または他方に設けられた図示しない注入口から誘電体５の誘電体材料を注入し、誘電体５と電極４とを一体化する。これにより、図７（ｃ）に分解斜視図にて示すように、電極４と誘電体５とが一体成形され、アンテナ２を製造することができる。
【００４７】
ところで、上記では、電極４と基板１との成す角度（グランド３と電極４との成す角度）を４５度として説明したが、電極４と基板１との成す角度は４５度に限らず、電極４が基板１に対して傾斜していれば（電極４と基板１とが平行または直交していなければ）、電極４と基板１とが成す角度は特に問わない。
【００４８】
図８（ａ）〜（ｃ）は、電極４と基板１との配置関係（より詳細には、図８（ａ）は電極４と基板１との成す角度が３０度の場合を示しており、図８（ｂ）は電極４と基板１との成す角度が４５度の場合を示しており、図８（ｃ）は電極４と基板１との成す角度が６０度の場合を示している）、ＶＳＷＲ特性を測定した結果、およびアンテナ２を基板１に取り付けた後水平に回転させて指向性の指標となる遠方界面放射特性利得を測定した結果を示す図である。
【００４９】
すなわち、今回の例では、Ｚ軸を回転させるとき（ｚ）は、Ｘ−Ｙ面上のＸ軸上が、回転の始めの地点０度であり、ここからＹ軸の矢印方向に測定装置を回転させて、９０度回転させたときがＹ軸に相当する。また、円の半径に示される数値は遠方界放射特性利得を示している。また、図８（ａ）〜（ｃ）において、Ｖ偏波は太線で、Ｈ偏波を細線にて示している。
【００５０】
ＶＳＷＲ特性の測定結果を示す図から分かる通り、電極４と誘電体５の底面とが成す角度を４５度にした場合だけでなく、４５度、６０度にした場合でも、３．１ＧＨｚ〜１０．６ＧＨｚにおいてＶＳＷＲのしきい値を３以下にすることができる。
【００５１】
また、電極４と誘電体５の底面とが成す角度を６０度にした場合は、ＸＹ面の垂直（Ｖ）偏波において、高い周波数利得が得られている（遠方界放射特性を改善できている）ことが分かる。また、電極４と基板１との成す角度を変えることにより、所望の指向性パターンに合わせることができる。
【００５２】
次に、図９（ａ）〜（ｄ）および図１０を用いて本実施の形態のアンテナ２と比較例のアンテナとのＶＳＷＲ特性を比較して説明する。
【００５３】
図９（ａ）は、本実施の形態の電極４に誘電体５を設けないアンテナ２を搭載したアンテナ搭載基板を示しており、図９（ｂ）は、本実施の形態の電極４に誘電体５を設けたアンテナ２を搭載したアンテナ搭載基板を示しており、図９（ｃ）は、参考例としての円を半分に折り曲げた２つの半円を基板に対して垂直および平行に配したアンテナを搭載したアンテナ搭載基板を示しており、図９（ｄ）は、参考例としての円を半分に折り曲げた２つの半円を基板に対して垂直および平行に配して、直方体の誘電体の表面に貼りつけたアンテナを搭載したアンテナ搭載基板を示している。
【００５４】
図１０は、ＶＳＷＲ特性を示すグラフである。なお、波形（イ）は図９（ａ）に示すアンテナについてのＶＳＷＲ特性であり、波形（ロ）は図９（ｂ）に示すアンテナについてのＶＳＷＲ特性であり、波形（ハ）は図９（ｃ）に示すアンテナについてのＶＳＷＲ特性であり、波形（ニ）は図９（ｄ）に示すアンテナについてのＶＳＷＲ特性である。
【００５５】
同図から分かるように、しきい値を３としたときのＶＳＷＲの下限周波数は、波形（イ）（ロ）では３ＧＨｚ以下となり、ＵＷＢのＬＯＷ−ＢＡＮＤ規格周波数である、３．１ＧＨｚ〜４．９ＧＨｚの帯域を満足させることができる。つまり、本実施の形態のアンテナ２によれば、ＵＷＢのＬＯＷ−ＢＡＮＤ規格周波数である、３．１ＧＨｚ〜４．９ＧＨｚの帯域を満足させることができる。
【００５６】
これに対して、同じくしきい値を３としたときのＶＳＷＲの下限周波数は、波形（ハ）（ニ）では３．１ＧＨｚ以上となり、ＵＷＢのＬＯＷ−ＢＡＮＤ規格周波数である、３．１ＧＨｚ〜４．９ＧＨｚの帯域を満足させることができないことが分かる。つまり、比較例のアンテナでは、ＵＷＢのＬＯＷ−ＢＡＮＤ規格周波数である、３．１ＧＨｚ〜４．９ＧＨｚの帯域を満足させることができない。
【００５７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００５８】
本発明のチップアンテナは、携帯電話などと通信可能なＰＣカード、携帯内蔵アンテナ、無線ＬＡＮアンテナ、およびＲＦ−ＩＤアンテナとして好適に用いることができる。
【図面の簡単な説明】
【００５９】
【図１】本発明の実施の形態のアンテナ周辺の概略構成を示す斜視図である。
【図２】本実施の形態のＰＣカードを示す斜視図である。
【図３】本実施の形態のアンテナ搭載基板を示す斜視図である。
【図４】本実施の形態のアンテナを構成する電極を示す平面図である。
【図５】図４とは異なる構成の本実施の形態の電極を示す平面図である。
【図６】本実施の形態のアンテナのＶＳＷＲ特性を示すグラフである。
【図７】（ａ）〜（ｃ）は、本実施の形態を示すものであり、アンテナの製造方法を示す図である。
【図８】（ａ）〜（ｃ）は、本実施の形態を示すものであり、電極と基板との配置関係、ＶＳＷＲ特性を測定した結果、およびアンテナを水平に回転させて指向性の指標となる遠方界面放射特性利得を測定した結果を示す図である。
【図９】（ａ）は、本実施の形態の電極に誘電体を設けないアンテナを搭載したアンテナ搭載基板を示す斜視図であり、（ｂ）は、本実施の形態の電極に誘電体を設けたアンテナを搭載したアンテナ搭載基板を示す斜視図であり、（ｃ）は、参考例としての参考例としての円を半分に折り曲げた２つの半円を基板に対して垂直および平行に配したアンテナを搭載したアンテナ搭載基板を示す斜視図であり、（ｄ）は、参考例としての円を半分に折り曲げた２つの半円を基板に対して垂直および平行に配して、直方体の誘電体の表面に貼りつけたアンテナを搭載したアンテナ搭載基板を示す斜視図である。
【図１０】図９（ａ）〜（ｄ）それぞれのＶＳＷＲ特性を示す図である。
【図１１】従来のアンテナを示す説明図である。
【図１２】従来のアンテナを示す説明図である。
【図１３】図１２に示すチップアンテナのＶＳＷＲと周波数との関係を示す図である。
【符号の説明】
【００６０】
１    基板
２    アンテナ（広帯域チップアンテナ）
３    グランド（接地電極）
４    電極（導体）
Ｐ    中心部
Ｍ    一端
Ｌ    長辺（他端）
Ｎ    側部
【図１】
2007027893.tif 000003
【図２】
2007027893.tif 000004
【図３】
2007027893.tif 000005
【図４】
2007027893.tif 000006
【図５】
2007027893.tif 000007
【図６】
2007027893.tif 000008
【図７】
2007027893.tif 000009
【図８】
2007027893.tif 000010
【図９】
2007027893.tif 000011
【図１０】
2007027893.tif 000012
【図１１】
2007027893.tif 000013
【図１２】
2007027893.tif 000014
【図１３】
2007027893.tif 000015